(57)【要約】【課題】建物内に設けられた電気機器の状態を簡易な方法で制御することを目的とする。【解決手段】住人が自動車２０を使用して外出する場合には、コンセント２４に接続された充電プラグ２６を引き抜くので、これを検出して、外出時に停止する必要がある予め定めた建物内の電気機器（例えば、照明１４や空調装置１６、テレビ等）への電力供給を停止する。また、住人が自動車２０を使用して外出から帰宅した場合には、コンセント２４に充電プラグ２６を差し込んで蓄電池２２の充電を開始するので、これを検出して、外出時に停止する必要がある予め定めた建物内の電気機器への電力供給を開始する。【選択図】図１
2010268638.tif 000002
【特許請求の範囲】
【請求項１】
蓄電池を充電するための充電プラグの電力供給源からの引き抜き及び差し込みの少なくとも一方を検出する検出手段と、
建物内に設けられた機器が接続され、前記検出手段によって前記充電プラグの引き抜き及び差し込みの少なくとも一方が検出された場合に、前記機器の作動状態を変化させるように制御する制御手段と、
を備えた建物内機器制御装置。
【請求項２】
前記制御手段は、前記充電プラグの引き抜きが検出された場合に、外出時に停止する必要がある予め定めた前記機器の作動を停止するように作動状態を変化させる請求項１に記載の建物内機器制御装置。
【請求項３】
前記制御手段は、前記検出手段によって前記充電プラグの差し込みが検出された場合に、外出時に停止する必要がある予め定めた前記機器が作動開始するように作動状態を変化させる請求項１又は請求項２に記載の建物内機器制御装置。
【請求項４】
前記制御手段は、前記充電プラグの引き抜きが検出された場合に、外出時に作動させる必要がある前記機器を作動するように作動状態を変化させる請求項１〜３の何れか１項に記載の建物内機器制御装置。
【請求項５】
前記制御手段は、前記検出手段によって前記充電プラグの差し込みが検出された場合に、外出時に作動させる必要がある前記機器の作動を停止するように作動状態を変化させる請求項１〜４の何れか１項に記載の建物内機器制御装置。
【請求項６】
前記検出手段は、電力を用いて走行する自動車に搭載された蓄電池を充電するための前記充電プラグの電力供給源からの引き抜き及び差し込みの少なくとも一方を検出する請求項１〜５の何れか１項に記載の建物内機器制御装置。
【請求項７】
前記制御手段は、前記機器が複数接続されている場合に、予め定めた範疇毎に前記機器を複数の群に分けて記憶し、記憶された群毎に前記機器の作動状態を変化せるように制御する請求項１〜６の何れか１項に記載の建物内機器制御装置。
【請求項８】
前記複数の群は、発熱を伴う予め定めた第１機器群を含み、前記制御手段は、前記検出手段によって前記充電プラグの引き抜きが検出された場合に、前記第１機器群に対応する機器の作動を予め定めた第１の時間経過後に停止するように制御する請求項７に記載の建物内機器制御装置。
【請求項９】
前記複数の群は、防犯に関係する予め定めた第２機器群を含み、前記制御手段は、前記検出手段によって前記充電プラグの引き抜きが検出された場合に、前記第２機器群に対応する機器の作動を前記第１の時間よりも長い第２の時間経過後に作動開始するように制御する請求項８に記載の建物内機器制御装置。
【請求項１０】
前記複数の群は、省エネルギー関連に関係する予め定めた第３機器群を含み、前記制御手段が、前記検出手段によって前記充電プラグの引き抜きが検出された場合に、前記第３機器群に対応する機器の作動を前記第２の時間よりも長い第３の時間経過後に停止するように制御する請求項９に記載の建物内機器制御装置。
【請求項１１】
前記制御手段は、記憶した群毎に、前記機器の作動開始または停止の時期を制御することにより、記憶した群毎に前記機器の作動状態を変化させる請求項７〜１０の何れか１項に記載の建物内機器制御装置。
【請求項１２】
予め定めた自動車に搭載された通信機と通信を行うための通信手段を更に備え、
前記制御手段によって制御された前記機器の作動状態を表す情報を前記通信手段によっって前記通信機へ送信し、前記自動車に設けられた表示手段に前記機器の作動状態を表示する請求項１１に記載の建物内機器制御装置。
【請求項１３】
前記制御手段は、前記通信手段によって前記通信機から各群毎に機器の作動状態の変更指示を受信し、受信した前記変更指示に応じて群毎に機器の作動状態を変化させるように更に制御する請求項１２に記載の建物内機器制御装置。
【請求項１４】
予め定めた自動車に搭載された通信機と通信を行うための通信手段を更に備え、
前記制御手段が、前記通信手段によって前記通信機から前記機器の作動状態の変更指示を受信し、受信した前記変更指示に応じて前記機器の作動状態を変化させるように更に制御し、前記機器の作動状態を制御する際に、前記第１機器群に対応する前記機器の作動が指示されても作動を禁止し、禁止されていることを表す情報を前記通信手段によって前記通信機へ送信し、前記自動車に設けられた表示手段に前記第１機器群に対応する前記機器の作動が禁止されていることを表示する請求項８〜１０の何れか１項に記載の建物内機器制御装置。
【請求項１５】
前記通信手段は、識別情報を用いて予め登録した車両とのみ通信を行なう請求項１２〜１４の何れか１項に記載の建物内機器制御装置。
【発明の詳細な説明】
【技術分野】
【０００１】
本発明は、建物内機器制御装置にかかり、特に、建物内に設けられた電気機器の状態を制御する建物内機器制御装置に関する。
【背景技術】
【０００２】
建物内に設けられた電気機器を制御する技術としては、例えば、特許文献１に記載の技術が提案されている。
【０００３】
特許文献１に記載の技術では、家電機器のコンセントに端末制御装置を設けて、主制御装置から電力線搬送方式により電源線に制御信号を端末制御装置へ出力することにより、コンセントに接続されたを制御することが提案されている。また、機器の稼働状況を表示することが提案されている。
【先行技術文献】
【特許文献】
【０００４】
【特許文献１】特開２００２−０４４７４７号公報
【発明の概要】
【発明が解決しようとする課題】
【０００５】
しかしながら、主制御装置や携帯端末等によって建物内の機器を制御することができるものの、建物内に設けられた機器の状態をより簡易な方法で行うためには、改善の余地がある。
【０００６】
本発明は、上記事実を考慮して成されたもので、建物内に設けられた電気機器の状態を簡易な方法で制御することを目的とする。
【課題を解決するための手段】
【０００７】
上記目的を達成するために請求項１に記載の発明は、蓄電池を充電するための充電プラグの電力供給源からの引き抜き及び差し込みの少なくとも一方を検出する検出手段と、建物内に設けられた機器が接続され、前記検出手段によって前記充電プラグの引き抜き及び差し込みの少なくとも一方が検出された場合に、前記機器の作動状態を変化させるように制御する制御手段と、を備えることを特徴としている。
【０００８】
請求項１に記載の発明によれば、検出手段では、蓄電池を充電するための充電プラグの電力供給源からの引き抜き及び差し込みの少なくとも一方が検出される。なお、検出手段は、請求項６に記載の発明のように、電力を用いて走行する自動車に搭載された蓄電池を充電するための充電プラグの電力供給源からの引き抜き及び差し込みの少なくとも一方を検出するようにしてもよい。検出手段は、例えば、充電プラグへの電力供給源からの電力供給の有無を検出することによって充電プラグの引き抜きや差し込みを検出するようにしてもよいし、充電プラグの引き抜きや差し込みを検出するセンサ等の検出結果から充電プラグの引き抜き及び差し込みの少なくとも一方を検出するようにしてもよい。
【０００９】
また、制御手段では、検出手段によって充電プラグの引き抜き及び差し込みの少なくとも一方が検出された場合に、建物内に設けられた機器の作動状態を変化させるように制御される。例えば、充電プラグが電力供給源から引き抜かれた場合に建物内の機器の電力供給を停止したり、充電プラグが電力供給源へ差し込まれた場合に建物内の機器の電力供給を行うことが可能となる。すなわち、充電プラグの抜き差しだけで、建物内に設けられた電気機器の状態を制御することができるので、建物内に設けられた電気機器の状態を簡易な方法で制御することができる。
【００１０】
制御手段は、請求項２に記載の発明のように、充電プラグの引き抜きが検出された場合に、外出時に停止する必要がある予め定めた機器の作動を停止するように作動状態を制御することによって、外出時に自動的に建物内の機器の作動を停止することができ、消費電力を抑制することができる。
【００１１】
また、制御手段は、請求項３に記載の発明のように、充電プラグの差し込みが検出された場合に、外出時に停止する必要がある予め定めた機器が作動開始するように作動状態を変化させることによって、帰宅時に自動的に建物内の機器を作動させることができ、利便的となる。
【００１２】
また、制御手段は、請求項４に記載の発明のように、充電プラグの引き抜きが検出された場合に、外出時に作動させる必要がある機器（例えば、防犯関連機器や留守番電話等）が作動するように作動状態を制御することによって、これらの機器を外出時に自動的に作動することができ、利便的となる。
【００１３】
また、制御手段は、請求項５に記載の発明のように、充電プラグの差し込みが検出された場合に、外出時に作動させる必要がある機器の作動を停止するように作動状態を変化させることによって、作動させるべき機器を帰宅時に自動的に作動させることができ、利便的である。
【００１４】
また、制御手段は、機器が複数接続されている場合には、請求項７に記載の発明のように、予め定めた範疇毎に前記機器を複数の群に分けて記憶し、記憶された群毎に前記機器の作動状態を制御するようにしてもよい。なお、複数の群は、請求項８に記載の発明のように、発熱を伴う予め定めた第１機器群を含み、制御手段が、検出手段によって充電プラグの引き抜きが検出された場合に、第１機器群に対応する機器の作動を予め定めた第１の時間経過後に停止するように制御するようにしてもよいし、請求項９に記載の発明のように、防犯に関係する予め定めた第２機器群を含み、制御手段が、検出手段によって充電プラグの引き抜きが検出された場合に、第２機器群に対応する機器の作動を第１の時間よりも長い第２の時間経過後に作動開始するように制御するようにしてもよいし、請求項１０に記載の発明のように、省エネルギーに関係する予め定めた第３機器群を含み、制御手段が、検出手段によって充電プラグの引き抜きが検出された場合に、第３機器群に対応する機器の作動を第２の時間よりも長い第３の時間経過後に停止するように制御するようにしてもよい。
【００１５】
なお、請求項７〜１０の何れか１項に記載の発明における制御手段は、請求項１１に記載の発明のように、記憶した群毎に、機器の作動開始または停止の時期を制御することにより、記憶した群毎に前記機器の作動状態を変化させるようにしてもよい。この場合には、請求項１２に記載の発明のように、予め定めた自動車に搭載された通信機と通信を行うための通信手段を更に備えて、制御手段によって制御された機器の作動状態を表す情報を通信手段によって通信機へ送信し、自動車に設けられた表示手段に機器の作動状態を表示するようにしてもよい。またこの場合、制御手段は、請求項１３に記載の発明のように、通信手段によって通信機から機器の作動状態の変更指示を受信し、受信した変更指示に応じて機器の作動状態を変化させるように更に制御するようにしてもよい。
【００１６】
また、請求項８〜１０の何れか１項に記載の発明は、請求奥１４に記載の発明のように、予め定めた自動車に搭載された通信機と通信を行うための通信手段を更に備え、制御手段が、通信手段によって通信機から機器の作動状態の変更指示を受信し、受信した変更指示に応じて機器の作動状態を更に制御し、機器の作動状態を制御する際に、第１機器群に対応する機器の作動が指示されても作動を禁止し、禁止されていることを表す情報を通信手段によって通信機へ送信し、自動車に設けられた表示手段に第１機器群に対応する機器の作動が禁止されていることを表示するようにしてもよい。
【００１７】
請求項１２〜１４の何れか１項に記載の通信手段は、例えば、請求項１５に記載の発明のように、識別情報を用いて予め登録した車両とのみ通信を行うことによって予め定めた車両と通信することが可能となる。
【発明の効果】
【００１８】
以上説明したように本発明によれば、充電プラグの引き抜き及び差し込みの少なくとも一方を検出して建物内に設けられた機器の作動状態を制御することによって、充電プラグの抜き差しだけで、建物内に設けられた電気機器の作動状態を制御することができるので、建物内に設けられた機器の状態を簡易な方法で制御することができる、という効果がある。
【図面の簡単な説明】
【００１９】
【図１】本発明の第１実施形態に係わる建物内機器制御装置の概略構成を示すブロック図である。
【図２】本発明の第１実施形態に係わる建物内機器制御装置の配電盤制御装置で行われる処理の流れの一例を示すフローチャートである。
【図３】本発明の第２実施形態に係わる建物内機器制御装置の構成を示すブロック図である。
【図４】本発明の第２実施形態に係わる建物内機器制御装置の電子施錠コントローラで行なわれる処理の流れを示すフローチャートである。
【図５】本発明の第３実施形態に係わる建物内機器制御装置の構成を示すブロック図である。
【図６】本発明の第３実施形態に係わる建物内機器制御装置の配電盤制御装置で行なわれる処理の流れを示すフローチャートである。
【図７】本発明の第４実施形態に係わる建物内機器制御装置の構成を示すブロック図である。
【図８】（Ａ）は第１機器群〜第３機器群の設定例を示す図であり、（Ｂ）は各機器とその接続（制御点登録）の例を示す図である。
【図９】本発明の第４実施形態に係わる建物内機器制御装置の配電盤生後装置で行なわれる処理の流れを示すフローチャートである。
【図１０】登録機器外出時制御の流れの一例を示すフローチャートである。
【発明を実施するための形態】
【００２０】
以下、図面を参照して本発明の実施の形態の一例を詳細に説明する。
（第１実施形態）
図１は、本発明の第１実施形態に係わる建物内機器制御装置の概略構成を示すブロック図である。
【００２１】
本実施形態の建物内機器制御装置１０は、図１に示すように、配電盤制御装置１２を備えている。配電盤制御装置１２は、建物内に設けられた照明１４や空調装置１６等の電気機器が接続され、各電気機器への電力供給を制御する。
【００２２】
配電盤制御装置１２には、系統電源（商用電力）１８が接続されており、系統電源１８から供給される商用電力を建物内の電気機器へ供給するようになっている。
【００２３】
また、配電盤制御装置１２には、モータ及びエンジンの動力で走行するハイブリッド自動車や電気自動車等の自動車２０に搭載された蓄電池２２を充電するためのコンセント２４が接続されている。すなわち、コンセント２４に充電プラグ２６を差し込むことによって、配電盤制御装置１２からケーブル２８を介して自動車２０へ商用電力を供給し、インバータ３０によって直流電力に変換して蓄電池２２に充電することが可能とされている。
【００２４】
配電盤制御装置１２は、コンセント２４への電力供給状態等を監視することにより、充電プラグ２８の引き抜きや差し込みを検出するようになっている。なお、本実施形態では、配電盤制御装置１２は、電力の供給の有無等から充電プラグ２６の抜き差しを検出するが、コンセント２４と充電プラグ２６の接続を検出するためのセンサを設けるようにしてもよい。
【００２５】
本実施形態では、配電盤制御装置１２は、充電プラグ２６のコンセント２４への抜き差しを検出することにより、住人の外出や帰宅を判断して、建物内の電気機器への電力供給を制御することによって建物内の機器の作動状態を変化させるようになっている。
【００２６】
具体的には、住人が自動車２０を使用して外出する場合には、コンセント２４に接続された充電プラグ２６を引き抜くので、これを検出して、外出時に停止する必要がある予め定めた建物内の電気機器（例えば、照明１４や空調装置１６、テレビ等）への電力供給を停止する。これによって外出時に不要な電力が消費されずに省エネルギー効果を得ることができる。
【００２７】
また、住人が自動車２０を使用して外出から帰宅した場合には、コンセント２４に充電プラグ２６を差し込んで蓄電池２２の充電を開始するので、これを検出して、外出時に停止する必要がある予め定めた建物内の電気機器への電力供給を開始する。これによって外出から帰宅した場合に、照明１４や空調装置１６等を自動的に作動させることができ、利便的となる。
【００２８】
続いて、上述のように構成された本発明の第１実施形態に係わる建物内機器制御装置１０で行なわれる処理について説明する。図２は、本発明の第１実施形態に係わる建物内機器制御装置１０の配電盤制御装置１２で行われる処理の流れの一例を示すフローチャートである。
【００２９】
まず、ステップ１００では、充電プラグ２６のコンセント２４への接続状態が検出されてステップ１０２へ移行する。充電プラグ２６のコンセント２４への接続状態の検出は、配電盤制御装置１２からコンセント２４を介して蓄電池２２に電力が供給されているか否か等を検出する。
【００３０】
ステップ１０２では、充電プラグがプラグオンからオフになったか否かが配電盤制御装置１２によって判定される。すなわち、充電プラグ２６が引き抜かれたか否かを判定し、該判定が肯定された場合にはステップ１０４へ移行し、否定された場合にはステップ１０６へ移行する。
【００３１】
ステップ１０４では、配電盤制御装置１２によって建物内の電気機器への電力供給が停止されてステップ１０６へ移行する。これによって外出時に不要な電力消費を抑制することができる。
【００３２】
ステップ１０６では、充電プラグ２６がプラグオフからオンになったか否かが配電盤制御装置１２によって判定される。すなわち、充電プラグ２６が差し込まれたか否かを判定し、該判定が肯定された場合にはステップ１０８へ移行し、否定された場合にはステップ１００に戻って上述の処理が繰り返される。
【００３３】
ステップ１０８では、配電盤制御装置１２によって建物内の電気機器への電力供給が開始されてステップ１００に戻って上述の処理が繰り返される。すなわち、外出から帰宅した場合には、建物内の照明１４や空調装置１６等の電気機器へ電力が供給され、利便的となる。
【００３４】
このように配電盤制御部１２が制御を行なうことによって、充電プラグ２６の抜き差しだけで、建物内に設けられた機器の作動状態を変化させることができるので、建物内に設けられた機器の状態を簡易な方法で制御することができる。
（第２実施形態）
続いて、本発明の第２実施形態に係わる建物内機器制御装置について説明する。図３は、本発明の第２実施形態に係わる建物内機器制御装置の構成を示すブロック図である。なお、第１実施形態と同一構成については同一符号を付して説明する。
【００３５】
第１実施形態では、充電プラグ２６のコンセント２４への抜き差しに応じて、建物内の電気機器への電力供給を制御するようにしたが、本実施形態では、充電プラグ２６のコンセント２４の抜き差しに応じて、玄関等の施錠装置の解錠及び施錠を更に制御するようにしたものである。
【００３６】
本実施形態の建物内機器制御装置１１は、図３に示すように、配電盤制御装置１２を備えている。配電盤制御装置１２は、建物内に設けられた照明１４や空調装置１６等の電気機器が接続され、各電気機器への電力供給を制御する。
【００３７】
配電盤制御装置１２には、系統電源（商用電力）１８が接続されており、系統電源１８から供給される商用電力を建物内の電気機器へ供給するようになっている。
【００３８】
また、配電盤制御装置１２には、モータ及びエンジンの動力で走行するハイブリッド自動車や電気自動車等の自動車２０に搭載された蓄電池２２を充電するためのコンセント２４が接続されている。すなわち、コンセント２４に充電プラグ２６を差し込むことによって、配電盤制御装置１２からケーブル２８を介して自動車２０へ商用電力を供給し、インバータ３０によって直流電力に変換して蓄電池２２に充電することが可能とされている。
【００３９】
配電盤制御装置１１は、コンセント２４への電力供給状態等を監視することにより、充電プラグ２６の引き抜きや差し込みを検出するようになっている。
【００４０】
本実施形態においても配電盤制御装置１２は、充電プラグ２６のコンセント２４への抜き差しを検出することにより、住人の外出や帰宅を判断して、建物内の電気機器への電力供給を制御することによって建物内の機器の作動状態を変化させるようになっている。  具体的には、住人が自動車２０を使用して外出する場合には、コンセント２４に接続された充電プラグ２６を引き抜くので、これを検出して、外出時に停止する必要がある予め定めた建物内の電気機器（例えば、照明１４や空調装置１６、テレビ等）への電力供給を停止する。これによって外出時に不要な電力が消費されずに省エネルギー効果を得ることができる。
【００４１】
また、住人が自動車２０を使用して外出から帰宅した場合には、コンセント２４に充電プラグ２６を差し込んで蓄電池２２の充電を開始するので、これを検出して、外出時に停止する必要がある予め定めた建物内の電気機器への電力供給を開始する。これによって外出から帰宅した場合に、照明１４や空調装置１６等を自動的に作動させることができ、利便的となる。
【００４２】
さらに、本実施形態では、電子施錠コントローラ３２を備えており、電子施錠コントローラ３２によって玄関等に設けられた施錠装置３４を制御して、施錠及び解錠が可能とされている。
【００４３】
電子施錠コントローラ３２には、配電盤制御装置１２からコンセント２４への給電を検出するための給電センサ３６が接続され、給電センサ３６によって充電プラグ２６のコンセント２４への抜き差しを検出するようになっている。給電センサ３６の検出結果は、電子施錠コントローラ３２に出力され、電子施錠コントローラ３２は、給電センサ３６によって検出された、充電プラグのコンセント２４への抜き差しに応じて、玄関等の施錠装置３４を施錠及び解錠するように構成されている。なお、本実施形態では、給電センサ３６によってコンセント２４と充電プラグ２６の接続を検出するようにしたが、配電盤制御装置１２が、コンセント２４から電力供給状態等を監視して充電プラグ２６の引き抜きや差し込みを検出した結果を電子施錠コントローラ３２へ出力するようにしてもよい。
【００４４】
続いて、上述のように構成された本発明の第２実施形態に係わる建物内機器制御装置１１で行なわれる処理について説明する。図４は、本発明の第２実施形態に係わる建物内機器制御装置１１の電子施錠コントローラ３２で行なわれる処理の流れを示すフローチャートである。なお、配電盤制御装置１１で行なわれる処理としては第１実施形態と同様の処理（図２）を行なうようにしてもよい。
【００４５】
まず、ステップ１５０では、給電センサ３６の検出結果が電子施錠コントローラ３２によって取得されてステップ１５２へ移行する。
【００４６】
ステップ１５２では、充電プラグがプラグオンからオフになったか否かが電子施錠コントローラ３２によって判定される。該判定は、配電盤制御装置１２からコンセント２４への給電状態を検出して、充電プラグ２６が引き抜かれたか否かを判定し、該判定が肯定された場合にはステップ１５４へ移行し、否定された場合にはステップ１５６へ移行する。
【００４７】
ステップ１５４では、電子施錠コントローラ３２から施錠信号が施錠装置３４へ出力されてステップ１５６へ移行する。これによって外出時に玄関等の施錠装置３４を自動的に施錠することができる。
【００４８】
ステップ１５６では、充電プラグ２６がプラグオフからオンになったか否かが電子施錠コントローラ３２によって判定される。該判定は、配電盤制御装置１２からコンセント２４への給電状態を検出して、充電プラグ２６が差し込まれたか否かを判定し、該判定が肯定された場合にはステップ１５８へ移行し、否定された場合にはステップ１５０に戻って上述の処理が繰り返される。
【００４９】
ステップ１５８では、電子施錠コントローラ３２から解錠信号が施錠装置３４へ出力されてステップ１５０に戻って上述の処理が繰り返される。すなわち、外出から帰宅した場合には、施錠装置３４が自動的に解錠されるので、荷物が多い場合等では非常に利便的となる。
【００５０】
このように配電盤制御部１２が制御を行なうことによって、充電プラグ２６の抜き差しだけで、建物内に設けられた機器の作動状態を変化させることができるので、建物内に設けられた機器の状態を簡易な方法で制御することができる。
（第３実施形態）
続いて、本発明の第３実施形態に係わる建物内機器制御装置について説明する。図５は、本発明の第３実施形態に係わる建物内機器制御装置の構成を示すブロック図である。なお、第１実施形態と同一構成については同一符号を付して説明する。
【００５１】
第２実施形態では、コンセント２４への充電プラグ２６の抜き差しに応じて、施錠装置３４を施錠及び解錠するようにしたが、本実施形態では、コンセント２４への充電プラグ２６の差し込み、自動車２０のエンジン停止、ドア開閉、及びバックドア開閉の少なくとも１つを検出することにより帰宅したか否かを判定して、帰宅時に施錠装置３４を解錠することができるようにしたものである。
【００５２】
本実施形態の建物内機器制御装置４０は、図５に示すように、配電盤制御装置４２を備えている。配電盤制御装置４２は、建物内に設けられた照明１４や空調装置１６等の電気機器が接続され、各電気機器への電力供給を制御する。
【００５３】
配電盤制御装置４０には、系統電源（商用電力）１８、コンセント２４、通信部４４、及び電子施錠コントローラ３２が接続されている。
【００５４】
系統電源１８は、配電盤制御装置４２に対して商用電力を供給することにより、配電盤制御装置４２によって系統電源１８から供給される商用電力を建物内の電気機器へ供給するようになっている。
【００５５】
コンセント２４は、モータ及びエンジンの動力で走行するハイブリッド自動車や電気自動車等の自動車２０に搭載された蓄電池をケーブル２８を介して接続可能とされている。すなわち、コンセント２４に充電プラグ２６を差し込むことによって、配電盤制御装置４２からケーブル２８を介して自動車２０へ商用電力を供給し、インバータによって直流電力に変換して蓄電池に充電することが可能とされている。なお、図５では、インバータ及び蓄電池は省略して示す。
【００５６】
また、配電盤制御装置４２は、コンセント２４から電力供給状態等を監視することにより、充電プラグ２６の引き抜きや差し込みを検出するようになっている。なお、コンセント２４と充電プラグ２６の接続を検出するためのセンサを設け、該センサによってコンセント２４への充電プラグ２６の引き抜きや差し込みを検出するようにしてもよい。
【００５７】
通信部４４は、自動車２０と通信を行なう。本実施形態では、通信部４４は、自動車２０のエンジン停止、ドア開放、及びバックドア開放の少なくとも１つの動作を表す情報を自動車２０から受信して配電盤制御装置４２へ出力する。
【００５８】
また、電子施錠コントローラ３２は、玄関等に設けられた施錠装置３４を制御して、解錠及び施錠を行なう。本実施形態では、配電盤制御装置４２の制御によって施錠装置３２の解錠及び施錠が可能とされている。
【００５９】
本実施形態では、配電盤制御装置４２がコンセント２４への電力供給を監視することにより、コンセント２４への充電プラグ２６の抜き差しを検出すると共に、自動車２０のエンジン停止や、ドアの開放、バックドアの開放等を表す情報を通信部４４を介して自動車２０から受信し、これらの情報から住人の帰宅を判断する。また、帰宅と判断した場合に、配電盤制御装置４２が、電子施錠コントローラ３２に対して施錠装置３４を解錠する指示を出力する。これによって住人が帰宅時にエンジン停止、ドアの開放、及びバックドアの開放の少なくとも１つの動作を行なうことによって自動的に施錠装置３４を解錠することができる。
【００６０】
また、住人が外出したか否かの判断は、コンセント２４からの充電プラグ２６の引き抜きを検出することにより判断することができ、コンセント２４からの充電プラグ２６の引き抜きを検出した場合に、配電盤制御装置４２が、電子施錠コントローラ３２に対して施錠装置３４を施錠する指示を出力することによって、外出時に自動的に施錠することができる。
【００６１】
一方、自動車２０は、エンジン停止、ドアの開放、及びバックドアの開放の少なくとも１つの動作を検出するために、エンジンＥＣＵ４６、ドア開閉センサ４８、及びバックドア開閉センサ５０の少なくとも１つを備えており、エンジン停止、ドアの開放、及びバックドアの開放の少なくとも１つの検出結果を通信装置５２及び通信部４４を介して配電盤制御装置４２へ送信可能とされている。なお、エンジンＥＣＵ４６によってエンジン停止を検出し、ドア開閉センサ４８によってドアの開放を検出し、バックドア開閉センサ５０によってバックドアの開放を検出する。また、通信装置５２と通信部４４間の通信は、予め定めた自動車２０に対してのみ通信を行なうようになっている。例えば、パスワードや周波数設定等を予め登録して通信を行なう。これによってセキュリティが保たれる
なお、本実施形態においても配電盤制御装置４２が、充電プラグ２６のコンセント２４への抜き差しを検出して、外出時に停止する必要がある予め定めた建物内の電気機器（例えば、照明１４や空調装置１６、テレビ等）への電力供給を制御して建物内の機器の作動状態を変化させるようにしてもよい。すなわち、住人が自動車２０を使用して外出する場合には、コンセント２４に接続された充電プラグ２６を引き抜くので、これを検出して、外出時に停止する必要がある予め定めた建物内の電気機器への電力供給を停止する。これによって外出時に不要な電力が消費されずに省エネルギー効果を得ることができる。また、住人が自動車２０を使用して外出から帰宅した場合には、コンセント２４に充電プラグ２６を差し込んで蓄電池の充電を開始するので、これを検出して、外出時に停止する必要がある予め定めた建物内の電気機器への電力供給を開始する。これによって外出から帰宅した場合に、照明１４や空調装置１６等を自動的に作動させることができ、利便的となる。
【００６２】
続いて、上述のように構成された本発明の第３実施形態に係わる建物内機器制御装置４０で行なわれる処理について説明する。図６は、本発明の第３実施形態に係わる建物内機器制御装置４０の配電盤制御装置４２で行なわれる処理の流れを示すフローチャートである。
【００６３】
まず、ステップ２００では、充電プラグ２６のコンセント２４への接続状態及び通信部４４による通信状態が検出されてステップ２０２へ移行する。充電プラグ２６のコンセント２４への接続状態の検出は、配電盤制御装置４２からコンセント２４を介して蓄電池に電力が供給されているか否か等を検出する。
【００６４】
ステップ２０２では、外出か否かが配電盤制御装置４２によって判定される。該判定は、充電プラグ２６がプラグオンからオフ、すなわち充電プラグ２６が引き抜かれたか否かを判定することにより外出か否かを判定し、該判定が肯定された場合にはステップ２０４へ移行し、否定された場合にはステップ２０６へ移行する。
【００６５】
ステップ２０４では、配電盤制御装置４２が電子施錠コントローラ３２を制御することによって、電子施錠コントローラ３２から施錠信号が施錠装置３４へ出力されてステップ２０６へ移行する。これによって外出時に玄関等の施錠装置３４を自動的に施錠することができる。なお、このとき、配電盤制御装置４２によって建物内の電気機器への電力供給を停止するようにして、外出時に不要な電力消費を抑制するようにしてもよい。
【００６６】
ステップ２０６では、帰宅か否かが配電盤制御装置４２によって判定され、該判定が肯定された場合にはステップ２０８へ移行し、否定された場合にはステップ２００に戻って上述の処理が繰り返される。なお、該判定は、コンセント２４への充電プラグ２６の差し込み、自動車２０のエンジン停止、ドアの開放、及びバックドアの開放の少なくとも１つの動作を検出することにより帰宅か否かを判定する。具体的には、コンセント２４への充電プラグ２６の差し込みの検出は、配電盤制御装置４２によってコンセント２４への電力供給状態を監視することにより検出し、自動車２０のエンジン停止、ドアの開放、及びバックドアの開放の検出は、自動車２０のエンジンＥＣＵ４６、ドア開閉センサ４８、及びバックドア開閉センサ５０の検出結果を通信装置５２及び通信部４４を介して配電盤制御装置４２が取得することによって検出する。
【００６７】
ステップ２０８では、配電盤制御装置４２が電子施錠コントローラ３２を制御することによって、電子施錠コントローラ３２から解錠信号が施錠装置３４へ出力されてステップ２２０に戻って上述の処理が繰り返される。すなわち、外出から帰宅した場合には、施錠装置３４が自動的に解除されるので、荷物が多い場合等では非常に利便的となる。なお、このとき、配電盤制御装置４２によって建物内の電気機器への電力供給を開始するようにして、外出から帰宅した場合に、建物内の照明１４や空調装置１６等の電気機器へ電力供給を自動的に行なうようにしてもよい。
（第４実施形態）
続いて、本発明の第４実施形態に係わる建物内機器制御装置について説明する。図７は、本発明の第４実施形態に係わる建物内機器制御装置の構成を示すブロック図である。なお、第３実施形態と同一構成については同一符号を付して説明する。
【００６８】
上記の各実施形態では、住人の外出時に建物内の機器に対して電力供給を停止したり、施錠を行い、住人の帰宅時に建物内の機器に対して電力供給を開始したり、解錠を行なったりしたが、本実施形態では、住人の外出時の建物内の機器に対する制御を更に詳細に制御するようにしたものである。
【００６９】
本実施形態の建物内機器制御装置４１は、図７に示すように、配電盤制御装置４３を備えている。配電盤制御装置４３は、建物内に設けられた照明１４や空調装置１６等の電気機器が接続され、各電気機器への電力供給を制御する。
【００７０】
配電盤制御装置４３には、系統電源（商用電力）１８、コンセント２４、通信部４４、電子施錠コントローラ３２、防犯用ブラインド装置５４、及び窓監視装置５６が接続されている。
【００７１】
系統電源１８は、配電盤制御装置４３に対して商用電力を供給することにより、配電盤制御装置４３によって系統電源１８から供給される商用電力を建物内の電気機器へ供給するようになっている。
【００７２】
コンセント２４は、モータ及びエンジンの動力で走行するハイブリッド自動車や電気自動車等の自動車２０に搭載された蓄電池をケーブル２８を介して接続可能とされている。すなわち、コンセント２４に充電プラグ２６を差し込むことによって、配電盤制御装置４３からケーブル２８を介して自動車２０へ商用電力を供給し、インバータによって直流電力に変換して蓄電池に充電することが可能とされている。なお、図７では、インバータ及び蓄電池は省略して示す。
【００７３】
また、配電盤制御装置４３は、コンセント２４から電力供給状態等を監視することにより、充電プラグ２６の引き抜きや差し込みを検出するようになっている。なお、コンセント２４と充電プラグ２６の接続を検出するためのセンサを設け、該センサによってコンセント２４への充電プラグ２６の抜き差しを検出するようにしてもよい。
【００７４】
通信部４４は、自動車２０と通信を行なう。本実施形態では、自動車２０のエンジン停止、ドア開放、及びバックドア開放の少なくとも１つの動作を表す情報を自動車２０から受信して配電盤制御装置４３へ出力する。
【００７５】
電子施錠コントローラ３２は、玄関等に設けられた施錠装置３４を制御して、解錠及び施錠を行なう。本実施形態では、配電盤制御装置４３の制御によって施錠装置３４の解錠及び施錠が可能とされている。
【００７６】
また、防犯用ブラインド装置５４は、太陽光を遮光するための角度調整可能な複数のスラットを備えて、スラットの角度をモータ等のアクチュエータによって駆動することが可能とされている。すなわち、太陽光を遮光して外部から室内が視認し難いようにすることによって防犯性を高めることができる。
【００７７】
さらに、窓監視装置５６は、建物内の窓等の施錠状態等を監視すると共に、各窓の施錠や解錠を制御する。
【００７８】
本実施形態では、配電盤制御装置４３の制御によって、住人の外出時に建物内の機器に対する電力供給を停止すると共に、防犯に関する機器（外出時に作動させる必要がある機器）を作動するようになっている。また、本実施形態では、外出時に建物内の機器を制御（電力供給停止や、防犯に関する機器の作動）するにあたり、建物内の機器を所定の範疇毎に群分けして、電力供給停止や作動等の順序を群毎に設定可能とされおり、配電盤制御装置４３が、各群に対応する機器の作動開始または停止のトリガ時期を制御することにより、各群毎に機器の作動状態を変化させるようになっている。
【００７９】
具体的には、配電盤制御装置４３は、例えば、図８（Ａ）に示すように、第１機器群〜第３機器群に設定可能とされ、該設定を記憶するようになっている。また、各機器群の外出時の設定を記憶する。図８（Ａ）では、電気調理機器、電気ストーブ、ファンヒータ、こたつ等の熱機器関連を第１機器群に設定し、窓監視装置５６、施錠装置３４、防犯ブラインド装置５４等の防犯関連機器を第２機器群に設定し、照明１４、空調装置１６、テレビ等の電力供給を停止して電力消費抑制が可能な省エネルギー関連機器関連を第３機器群に設定し、第１機器群を外出してから５分後に電力供給停止し、第２機器群を外出してから１０分後に作動し、第３機器群を外出してから１５分後に電力供給停止する設定とした例を示す。なお、防犯関連機器は外出時に作動させる必要がある機器として留守番電話等を含めるようにしてもよい。
【００８０】
また、配電盤制御装置４３が各機器を制御するために、図８（Ｂ）に示すように、各機器とその接続（制御点登録）を予め定めて記憶可能とされている。これによって、配電盤制御装置４３が各機器群に対応する電力供給や停止、作動等を制御することが可能となる。
【００８１】
一方、自動車２０は、エンジン停止、ドアの開放、及びバックドアの開放の少なくとも１つの動作を検出するために、エンジンＥＣＵ４６、ドア開閉センサ４８、及びバックドア開閉センサ５０の少なくとも１つを備えており、エンジン停止、ドアの開放、及びバックドアの開放の少なくとも１つの検出結果を通信装置５２及び通信部４４へを介して配電盤制御装置４３へ送信可能とされている。なお、エンジンＥＣＵ４６によってエンジン停止を検出し、ドア開閉センサ４８によってドアの開放を検出し、バックドア開閉センサ５０によってバックドアの開放を検出する。
【００８２】
また、自動車２０は、モニタ５８を更に備えており、各種情報の表示が可能とされている。モニタ５８は、例えば、タッチパネル等の入力手段を備えて、配電盤制御装置４３による制御状態等の表示指示を行なうことが可能とされ、当該指示が行なわれた場合に、通信部４４及び通信装置５２を介して配電制御装置４３による制御状態を取得して、配電盤制御装置４３による制御状態をモニタ５８に表示することが可能とされている。
【００８３】
なお、通信装置５２と通信部４４間の通信は、予め定めた自動車２０に対してのみ通信を行なうようになっている。例えば、パスワードや周波数設定等を予め登録して通信を行なう。これによってセキュリティが保たれる
続いて、上述のように構成された本発明の第４実施形態に係わる建物内機器制御装置４１で行なわれる処理について説明する。図９は、本発明の第４実施形態に係わる建物内機器制御装置４１の配電盤制御装置４３で行なわれる処理の流れを示すフローチャートである。
【００８４】
まず、ステップ２５０では、充電プラグ２６のコンセント２４への接続状態及び通信部４４による通信状態が検出されてステップ３０２へ移行する。充電プラグ２６のコンセント２４への接続状態の検出は、配電盤制御装置４３からコンセント２４を介して蓄電池に電力が供給されているか否か等を検出する。
【００８５】
ステップ２５２では、外出か否かが配電盤制御装置４３によって判定される。該判定は、充電プラグ２６がプラグオンからオフ、すなわち充電プラグ２６が引き抜かれたか否かを判定することにより外出か否かを判定し、該判定が肯定された場合にはステップ２５４へ移行し、否定された場合にはステップ２５６へ移行する。
【００８６】
ステップ２５４では、登録機器外出時制御が配電盤制御装置行なわれてステップ２５６へ移行する。ここで、登録機器外出時制御について図１０を参照して詳細に説明する。図１０は、登録機器外出時制御の流れの一例を示すフローチャートである。
【００８７】
登録機器外出時制御へ移行すると、まずステップ３００では、タイマ開始されてステップ３０２へ移行する。すなわち、配電盤制御装置４３は、各機器群の作動順序を制御するためにタイマの計数を開始する。
【００８８】
ステップ３０２では、外出後５分経過したか否かが配電盤制御装置４３によって判定され、該判定が肯定されるまで待機してステップ３０４へ移行する。
【００８９】
ステップ３０４では、第１機器群への電力供給が配電盤制御装置４３によって停止されてステップ３０６へ移行する。すなわち、配電盤制御装置４３に予め設定された第１機器群に対応する機器への電力供給が停止される。例えば、図８（Ａ）に示すように熱機器関連の第１機器群に対応する機器への電力供給が停止される。これによって熱機器関連の第１機器群が外出後に始めに停止されるので、熱機器が原因となる火災などを防止することができる。
【００９０】
ステップ３０６では、外出後１０分経過したか否かが配電盤制御装置４３によって判定され、該判定が肯定されるまで待機してステップ３０８へ移行する。
【００９１】
ステップ３０８では、第２機器群が配電盤制御装置４３の制御によって作動されてステップ３１０へ移行する。すなわち、配電盤制御装置４３に予め設定された第２機器群に対応する機器が作動される。例えば、図８（Ａ）に示すように防犯関連の第２機器群が作動される。具体的には、配電盤制御装置４３が防犯用ブラインド装置５４を制御してスラットを駆動して外部から視認し難く制御したり、窓監視装置５６を制御して窓の施錠を行なったり、電子施錠コントローラ３２を制御して施錠装置３４を施錠する。これによって外出時の防犯セキュリティ機器関連を自動的に作動させることができる。なお、施錠装置３４は、外出が判断された場合に直ぐに施錠するように制御してもよい。
【００９２】
ステップ３１０では、外出後１５分経過したか否かが配電盤制御装置４３によって判定され、該判定が肯定されるまで待機してステップ３１２へ移行する。
【００９３】
ステップ３１２では、第３機器群への電力供給が配電盤制御装置４３によって停止されて登録機器外出時制御をリターンして図９のステップ２５６へ移行する。すなわち、配電盤制御装置４３に予め設定された第３機器群に対応する機器への電力供給が停止される。例えば、図８（Ａ）に示すように省エネルギー関連の第３機器群に対応する機器への電力供給が停止される。これによって消し忘れ等による無駄な電力消費を防止することができる。
【００９４】
登録機器外出時制御がリターンされてステップ２５６へ移行すると、帰宅か否かが配電盤制御装置４３によって判定され、該判定が肯定された場合にはステップ２５８へ移行し、否定された場合にはステップ２５０に戻って上述の処理が繰り返される。なお、該判定は、第３実施形態と同様に、コンセント２４への充電プラグ２６の差し込み、自動車２０のエンジン停止、ドアの開放、及びバックドアの開放の少なくとも１つの動作を検出することにより帰宅か否かを判定することができる。具体的には、コンセント２４への充電プラグ２６の差し込みの検出は、配電盤制御装置４３によってコンセント２４への電力供給状態を監視することにより検出し、自動車２０のエンジン停止、ドアの開放、及びバックドアの開放の検出は、自動車２０のエンジンＥＣＵ４６、ドア開閉センサ４８、及びバックドア開閉センサ５０の検出結果を通信装置５２及び通信部４４を介して配電盤制御装置４３が取得することによって検出する。
【００９５】
ステップ２５８では、登録機器帰宅時制御が行なわれてステップ２５０に戻って上述の処理が繰り返される。登録機器帰宅時制御は、例えば、配電盤制御装置４３が電子施錠コントローラ３２を制御することにより施錠装置３４を解除したり、第３機器群に対応する機器への電力供給を開始したり等の制御を行なう。
【００９６】
一方、自動車２０側のモニタ５８のタッチパネル等の入力手段が操作されて、配電盤制御装置４３による制御状態の表示指示が行なわれた場合には、登録機器外出時制御によって制御されている各機器群の制御状態を通信部４４及び通信装置５２を介して配電制御装置４３から取得してモニタ５８に表示する。例えば、経過時間や、第１〜３機器群の電力供給停止や作動状態等をモニタ５８に表示する。これによって外出時に各機器の作動状態を確認することができる。
【００９７】
また、本実施形態では、モニタ５８を自動車２０に備えているため、モニタ５８のタッチパネル等の入力手段を操作して、各機器群の電力供給や作動状態を制御可能としてもよい。例えば、外出してから登録機器外出時制御による第１機器群や第３機器群に対する電力供給停止の前に電力供給停止を制御したり、第２機器群の作動前に作動開始を制御したり、帰宅時に第３機器群への電力供給開始や第２機器群の作動停止等を制御したりするようにしてもよい。また、自動車２０側から第１機器群への電力供給開始が指示された場合には、配電盤制御装置４３は、第１機器群の作動が指示されても作動を禁止し、禁止されていることを表す情報を自動車２０へ送信し、モニタ５８に第１機器群の作動が禁止されているを表示するようにしてもよい。すなわち、熱機器関連の場合に外出時に作動することによって火災等の恐れがあるので、外出時には作動を禁止する。また、各機器群への電力供給や作動の制御は、機器群毎ではなく、各機器毎に制御するようにしてもよい。
【００９８】
なお、上記の各実施形態は、それぞれ個別に説明したが、適宜組み合わせるようにしてもよい。
【００９９】
また、第１〜３実施形態では、建物内に設けられた複数の機器を制御するものとして説明したが、予め定めた機器であれば、１つの機器のみの作動状態を変化させるようにしてもよい。
【符号の説明】
【０１００】
１０、１１、４０、４１    建物内機器制御装置
１２、４２、４３    配電盤制御装置
１４    照明
１６    空調装置
１８    系統電源
２０    自動車
２２    車両用蓄電池
２４    コンセント
２６    充電プラグ
３２    電子施錠コントローラ
３４    施錠装置
３６    給電センサ
４４    通信部
４６    エンジンＥＣＵ
４８    ドア開閉センサ
５０    バックドア開閉センサ
５２    通信装置
５４    防犯用ブラインド装置
５６    窓監視装置
５８    モニタ
【図１】
2010268638.tif 000003
【図２】
2010268638.tif 000004
【図３】
2010268638.tif 000005
【図４】
2010268638.tif 000006
【図５】
2010268638.tif 000007
【図６】
2010268638.tif 000008
【図７】
2010268638.tif 000009
【図８】
2010268638.tif 000010
【図９】
2010268638.tif 000011
【図１０】
2010268638.tif 000012